(57)【要約】【課題】別のデジタイザ用パネルを備える必要がなく、ディスプレイ機器の軽量化、スリム化を可能にするタッチスクリーン一体型デジタイザを提供する。【解決手段】３軸磁力センサーと磁力ペンを利用したタッチスクリーン一体型デジタイザ、より詳しくは、磁力を発生させる磁力ペンを動かしながら発生する磁力ベクトルの分布と変化量を測定してタッチスクリーン上で動く磁力ペンの位置を正確に感知できる３軸磁力センサーと磁力ペンを利用したタッチスクリーン一体型デジタイザを提供する。ディスプレイ機器内部の縁に設けられた磁力センサーを利用して、外部入力手段の位置情報を検出できるデジタイザを実装することにより、別のデジタイザ用パネルを備える必要がなく、これによりディスプレイ機器の軽量化、スリム化が可能となる。【選択図】図１
2017506405.tif 000002
【特許請求の範囲】
【請求項１】
ディスプレイ機器と磁力ペンで構成され、
前記ディスプレイ機器は、タッチ及び手書きによる外部接触損傷を保護するカバーウィンドウと、
前記カバーウィンドウの後面にラミネートされてタッチ接触信号を感知するタッチパネル部と、
前記タッチパネル部の後面にラミネートされて信号情報を出力する液晶パネル部と、
前記液晶パネル部と前記タッチパネル部、磁力センサーからの信号の入出力を制御する回路基板と、
前記回路基板の側面と後面を囲み、前記カバーウィンドウ、前記タッチパネル部、前記液晶パネル部が順次積層されてラミネートされる内部ケースと、
前記カバーウィンドウの後面、前記液晶パネル部の前後面、前記タッチパネル部の前後面、前記回路基板の前後面、前記内部ケースの内面のうちいずれかの箇所に１つ又は２つ以上設けられる磁力センサーと、を有し、
前記磁力ペンは、
前記カバーウィンドウの前面上部で自由運動をし、内部で発生する３次元磁力分布が前記磁力センサーによって検出されて前記ディスプレイ機器に運動軌跡が視覚的に表現されることを特徴とする３軸磁力センサーと磁力ペンを利用したタッチスクリーン一体型デジタイザ。
【請求項２】
前記カバーウィンドウは、前表面と裏面とを有する厚さ０．１〜１０ｍｍのシートであって、全体が平坦であるか又は一部が１０〜５０ｃｍの曲率で撓んだ、該シートであることを特徴とする請求項１に記載の３軸磁力センサーと磁力ペンを利用したタッチスクリーン一体型デジタイザ。
【請求項３】
前記カバーウィンドウは、光透過率が８５〜９５％の透明な材質であってパイレックス（登録商標）、ソーダガラス、アルミナガラス、石英、ポリメチレンメタクリレート（ＰＭＭＡ）、アクリル系ポリマー合成体、ポリエチレンテレフタレート（ＰＥＴ）のうちいずれか１つを原料として作られるか、又は１〜１００００ｋｅＶ電子、イオン、ガンマ線のうちいずれか１つを照射して表面のポリマー分子結合基が強化されるアクリル系、ビニル系、テレフタレート系のうちいずれか１つを原料として作られることを特徴とする請求項１に記載の３軸磁力センサーと磁力ペンを利用したタッチスクリーン一体型デジタイザ。
【請求項４】
前記タッチパネル部は光透過率が８５％〜９９％の透明な酸化インジウムスズ、銀ナノ粒子、銀ナノワイヤー、カーボンナノチューブのうちいずれか１つを原料として作られるタッチ感知電極を有し、
ポリメチレンメタクリレート、アクリル系ポリマー合成体、ポリエチレンテレフタレートのうちいずれか１つを原料として作られる電極支持層が、前記液晶パネル部の前面に覆われており、横軸パターン層と横軸支持層が縦軸パターン層と縦軸支持層に対比して交差ラミネートされることを特徴とする請求項１に記載の３軸磁力センサーと磁力ペンを利用したタッチスクリーン一体型デジタイザ。
【請求項５】
前記磁力センサーは、ホール効果、サーチコイル誘導効果、フラックスゲート誘導効果、磁気抵抗効果を利用して、空間直交座標の３軸方向の０．００１〜１００００ガウスの磁力を測定することを特徴とする請求項１に記載の３軸磁力センサーと磁力ペンを利用したタッチスクリーン一体型デジタイザ。
【請求項６】
前記回路基板は、前記ディスプレイ機器の前面座標による前記磁力ペンの３軸磁力分布データを予め格納し、
前記ディスプレイ機器は、前記磁力ペンの自由運動で測定された３軸磁力ベクトルと、予め格納された前記３軸磁力分布データを比較して前記磁力ペンの相対軌跡を算出することを特徴とする請求項１に記載の３軸磁力センサーと磁力ペンを利用したタッチスクリーン一体型デジタイザ。
【請求項７】
前記３軸磁力分布データは、前記ディスプレイ機器に備えられたそれぞれの前記磁力センサーで測定された固有の分布であり、前記ディスプレイ機器は、２つ以上の前記磁力センサーで感知された前記磁力ペンの軌跡を算術平均して軌跡精度を向上させることを特徴とする請求項６に記載の３軸磁力センサーと磁力ペンを利用したタッチスクリーン一体型デジタイザ。
【発明の詳細な説明】
【技術分野】
【０００１】
本発明は、３軸磁力センサーと磁力ペンを利用したタッチスクリーン一体型デジタイザに関するものであって、より詳しくは、磁力を発生させる磁力ペンを動かしながら発生する磁力ベクトルの分布と変化量を測定して、タッチスクリーン上で動く磁力ペンの位置を正確に感知できる３軸磁力センサーと磁力ペンを利用したタッチスクリーン一体型デジタイザに関する。
【背景技術】
【０００２】
デジタイザ（Ｄｉｇｉｔｉｚｅｒ）はディスプレイ機器に使用される入力装置の一種であって、マトリックス形態の電極構造を有し、ユーザがペンやカーソルを動かすと、マトリックス上のＸ、Ｙ座標を読み込んで入力装置の位置信号を制御部に伝達し、それに該当するコマンドを実行する装置をいう。
【０００３】
デジタイザは広義的にタッチパネル又はタブレットとも呼ばれ、位置検出方式に応じて抵抗膜方式、静電容量方式、磁界方式などがある。場合によっては、タッチパネルと区分して使用されることもある。
【０００４】
移動通信端末やタブレットＰＣなどのディスプレイ機器のディスプレイ装置は、カバーガラス、タッチパネル、液晶パネル、デジタイザを含んでおり、近年、ディスプレイ産業の発達につれてこれらを統合した、あるいはこれらと構成を異にするディスプレイ装置ないしディスプレイ機器が注目されている。
【発明の概要】
【発明が解決しようとする課題】
【０００５】
しかし、別の磁力センサーパネルを設けてタッチスクリーン式デジタイザを実装する場合、合着するパネルの数が多くなって装置の構造が複雑になり、製造コストが上昇し、エラーが発生したときに修理や入替が困難な問題点があった。
【０００６】
前述した問題点を解決するため、本発明は、タッチスクリーンに結合されるデジタイザ内部に１つ又は２つ以上の磁力センサーを配置し、磁力ペンの動きによって発生する磁場の変化を感知して磁力ペンの位置情報と運動情報を検出できる３軸磁力センサーと磁力ペンを利用したタッチスクリーン一体型デジタイザを提供することを目的とする。
【０００７】
また、本発明は、磁力ペンの内部に磁力を発生させる装置を備え、発生した磁力の３次元分布を調整して検出の精度を高める３軸磁力センサーと磁力ペンを利用したタッチスクリーン一体型デジタイザを提供することを目的とする。
【課題を解決するための手段】
【０００８】
本発明のデジタイザは、前述した問題点を解決するために案出されたものであって、ディスプレイ機器２００と磁力ペン３００で構成され、前記ディスプレイ機器２００はタッチ及び手書きによる外部接触損傷を保護するカバーウィンドウ２１０と、前記カバーウィンドウ２１０の後面にラミネートされてタッチ接触信号を感知するタッチパネル部２２０と、前記タッチパネル部２２０の後面にラミネートされて信号情報を出力する液晶パネル部２３０と、前記液晶パネル部２３０と前記タッチパネル部２２０、磁力センサー２２６からの信号の入出力を制御する回路基板２４０と、前記回路基板２４０の側面と後面を囲み、前記カバーウィンドウ２１０、前記タッチパネル部２２０、前記液晶パネル部２３０が順次積層されてラミネートされる内部ケース２５０と、前記カバーウィンドウ２１０の後面、前記液晶パネル部２３０の前後面、前記タッチパネル部２２０の前後面、前記回路基板２４０の前後面、前記内部ケース２５０の内面のうちいずれかの箇所に１つ又は２つ以上設けられる磁力センサー２２６と、を有し、前記磁力ペン３００は、前記カバーウィンドウ２１０の前面上部で自由運動をし、内部で発生する３次元磁力分布が前記磁力センサー２２６によって検出されて前記ディスプレイ機器２００に運動軌跡が視覚的に表現されることを特徴とする。
【０００９】
前記カバーウィンドウ２１０は、表面と裏面とを有する厚さ０．１〜１０ｍｍのシートであって、全体が平坦であるか又は一部が１０〜５０ｃｍの曲率で撓んだ、該シートであり得る。
【００１０】
前記カバーウィンドウ２１０は、光透過率が８５〜９５％の透明な材質であってパイレックス（登録商標）、ソーダガラス、アルミナガラス、石英、ポリメチレンメタクリレート（ＰＭＭＡ）、アクリル系ポリマー合成体、ポリエチレンテレフタレート（ＰＥＴ）のうちいずれか１つを原料として作られるか、１〜１００００ｋｅＶ電子、イオン、ガンマ線のうちいずれか１つを照射して、表面のポリマー分子結合基が強化されるアクリル系、ビニル系、テレフタレート系のうちいずれか１つを原料として作られ得る。
【００１１】
前記タッチパネル部は、光透過率が８５％〜９９％の透明な酸化インジウムスズ、銀ナノ粒子、銀ナノワイヤー、カーボンナノチューブのうちのいずれか１つを原料として作られるタッチ感知電極を有し、ポリメチレンメタクリレート（ＰＭＭＡ）、アクリル系ポリマー合成体、ポリエチレンテレフタレート（ＰＥＴ）のうちいずれか１つを原料として作られる電極支持層（２２２０、２２４０）が、前記液晶パネル部２３０の前面に覆われており、横軸パターン層２２２と横軸支持層２２２０が縦軸パターン層２２４と縦軸支持層２２４０に対比して交差ラミネートされ得る。
【００１２】
前記磁力センサー２２６は、ホール効果、サーチコイル（ｓｅａｒｃｈ  ｃｏｉｌ）誘導効果、フラックスゲート（ｆｌｕｘ  ｇａｔｅ）誘導効果、磁気抵抗効果を利用して空間直交座標の３軸方向の０．００１ないし１００００ガウスの磁力を測定し得る。
【００１３】
前記回路基板２４０は、前記ディスプレイ機器２００の前面座標による前記磁力ペン３００の３軸磁力分布データを予め格納し、前記ディスプレイ機器２００は、前記磁力ペン３００の自由運動で測定された３軸磁力ベクトルと、予め格納された前記３軸磁力分布データを比較して前記磁力ペン３００の相対軌跡を算出し得る。
【００１４】
前記３軸磁力分布データは、前記ディスプレイ機器２００に備えられたそれぞれの前記磁力センサー２２６で測定された固有の分布であり、前記ディスプレイ機器２００は、２つ以上の前記磁力センサー２２６で感知された前記磁力ペン３００の軌跡を算術平均して軌跡精度を向上させ得る。
【発明の効果】
【００１５】
本発明によると、ディスプレイ機器内部の縁に設けられた磁力センサーを利用して外部入力手段の位置情報を検出できるデジタイザを実装することによって、別のデジタイザ用パネルを備える必要がなく、これによりディスプレイ機器の軽量化、スリム化を可能にする効果がある。
【図面の簡単な説明】
【００１６】
【図１】本発明の第１の実施形態によるデジタイザの構造を示す分解斜視図である。
【図２】タッチパネル部の構造を示す平面図である。
【図３】図２のタッチパネル部の内部構造を示す断面図である。
【図４】本発明の第２の実施形態によるデジタイザの磁力センサーの位置を示す斜視図である。
【図５】本発明の第３の実施形態によるデジタイザの磁力センサーの位置を示す斜視図である。
【図６】デジタイザが磁力ペンから発生される３次元磁力線を探知して磁力ペンの位置を算出する方式を示した概念図である。
【図７】磁力ペンから発生される３磁力線の構造を示す概念図である。
【図８】磁力センサーの内部構造を示す斜視図である。
【図９】磁力ペンから発生されるＸ軸方向の磁力の空間分布を示すグラフである。
【図１０】磁力ペンから発生されるＹ軸方向の磁力の空間分布を示すグラフである。
【図１１】磁力ペンから発生されるＺ軸方向の磁力の空間分布を示すグラフである。
【図１２】デジタイザのサイズに応じて磁力センサーを並列配置した状態を示す平面図である。
【発明を実施するための形態】
【００１７】
以下、図面を参照して本発明の実施形態による３軸磁力センサーと磁力ペンを利用したタッチスクリーン一体型デジタイザ（以下、「デジタイザ」と称する）を詳細に説明する。
【００１８】
図１は、本発明の第１の実施形態によるデジタイザの構造を示した分解斜視図である。
【００１９】
本発明のデジタイザは、映像信号を表示しながら磁力分布を測定するディスプレイ機器２００と、ディスプレイ機器２００上で動きながら３次元磁力分布を発生させる磁力ペン３００と、から構成される。
【００２０】
ディスプレイ機器２００は、タッチ及び手書きによる外部接触による損傷を保護するカバーウィンドウ２１０と、カバーウィンドウ２１０の後面にラミネートされてタッチ接触信号を感知するタッチパネル部２２０と、タッチパネル部２２０の後面にラミネートされて信号情報を出力する液晶パネル部２３０と、液晶パネル部２３０とタッチパネル部２２０、磁力センサー２２６からの信号の入出力を制御する回路基板２４０と、回路基板２４０の側面と後面を囲んでおり、カバーウィンドウ２１０、タッチパネル部２２０、液晶パネル部２３０が順次積層されてラミネートされる内部ケース２５０と、ディスプレイ機器２００の内部であるカバーウィンドウ２１０の後面又は液晶パネル部２３０前後面又はタッチパネル部２２０前後面又は回路基板２４０前後面又は内部ケース２５０の内面に１つ又は２つ以上の箇所に位置した磁力センサー２２６を有する。
【００２１】
また、磁力ペン３００は、カバーウィンドウ２１０の前面上部で自由運動をし、このときに発生する３次元磁力分布が磁力センサー２２６によって検出されてディスプレイ機器２００に運動軌跡が視覚的に表現される。
【００２２】
カバーウィンドウ２１０は、表面と裏面とを有する厚さ０．１〜１０ｍｍの薄いシートであって、シート全体が平坦であるか又はシートの一部が１０〜５０ｃｍの曲率で撓んだものである。カバーウィンドウ２１０は、光透過率が８５〜９５％の透明な材質で作られるが、パイレックス（登録商標）、ソーダガラス、アルミナガラス、石英、ポリメチレンメタクリレート（ＰＭＭＡ）、アクリル系ポリマー合成体、ポリエチレンテレフタレート（ＰＥＴ）のうちいずれか１つを原料とする。場合によっては、１〜１００００ｋｅＶ電子、イオン、ガンマ線のうちいずれか１つを照射して表面のポリマー分子結合基が強化されるアクリル系、ビニル系、テレフタレート系のうち１つであるポリマーで構成されることができる。
【００２３】
磁力センサー２２６は、タッチパネル部２２０の透明基板の縁（液晶パネル部２３０の非活性領域）に１つ以上設けられてタッチパネル部２２０の前面上部に形成される磁場を探知する。このとき、磁力センサー２２６は、磁場探知のために電源部に接続されて電力が供給される。
【００２４】
また、磁力センサー２２６は、磁力ペン３００によるタッチパネル部２２０の前面上部の磁場の変化を感知して位置情報を検出し、検出された情報をディスプレイ機器２００の制御部に転送する。このとき用いられる、アナログ信号をデジタル信号に変換するＡ／Ｄ変換器を有することができる。
【００２５】
磁力センサー２２６は、ホール効果、サーチコイル誘導効果、フラックスゲート誘導効果、磁気抵抗効果を利用して、空間直交座標の３軸方向の０．００１〜１００００ガウスの磁力を測定する。
【００２６】
磁力センサー２２６の横、縦、高さは、それぞれ０．１〜１００ｍｍである。
【００２７】
磁力センサー２２６は、平行電極間を流れる電流が外部磁場によって垂直方向に漏洩されるホール効果、導体が円筒形磁化性コイルの外周に巻かれていてファラデーの法則によって誘導電流が発生するサーチコイル方式、一定方向に磁化された伝導層と逆方向に磁化された伝導層とがラミネートされているときに流れる電流の抵抗が高くなることを利用する磁気抵抗効果を利用して３次元の磁力ベクトルと変化量を感知する装置であって、磁力ペン３００の距離ベクトルに応じて同時に変わる磁力ベクトルをリアルタイムで感知することによって、磁力センサー２２６と磁力ペン３００との間の相対距離ベクトルを算出することができる。
【００２８】
磁力ペン３００がディスプレイ機器２００の前面上部で動くとき、相対的な距離ベクトルが大きくなると磁力ベクトルは小さくなり、空間直交座標軸（Ｘ軸、Ｙ軸、Ｚ軸）に応じて磁力ベクトル（Ｂｘ、Ｂｙ 、Ｂｚ）が１：１の対応関係に同時に変わるので、磁力信号のベクトルを測定することにより磁力センサー２２６に対比して磁力ペン３００の相対的な空間座標を測定することができる。磁力ペン３００の相対位置を決定するには、ディスプレイ機器２００の制御部に磁力ペン３００が空間座標に自由に動くときに感知される磁力空間分布が予め入力されているので、測定された磁力ベクトルが代表する空間座標を換算することができる。より正確に位置決めをするには、複数の磁力センサー２２６を設け、それぞれの磁力センサー２２６から測定対象物体までの距離ベクトルと空間座標を換算し、それぞれの換算値を算術平均して物体の絶対的な位置を誤差０．１〜５ｍｍ以内に把握することができる。又は、測定された距離ベクトルと磁力ベクトルを絶対距離と絶対磁力強度に変換した後、２つ以上の磁力センサー２２６間の磁力ペン３００の相対的位置を三角測定法により把握することができる。
【００２９】
図２は、タッチパネル部の構造を示す平面図で、図３は、図２のタッチパネル部の内部構造を示す断面図である。
【００３０】
図２と図３に示すように、タッチパネル部２２０は、光透過率が８５％〜９９％の透明な酸化インジウムスズ、銀ナノ粒子、銀ナノワイヤー、カーボンナノチューブのうちいずれか１つの原料として作られるタッチ感知電極と、ポリメチレンメタクリレート（ＰＭＭＡ）、アクリル系ポリマー合成体、ポリエチレンテレフタレート（ＰＥＴ）のうちいずれか１つの原料として作られる電極支持層（２２２０、２２４０）が前記液晶パネル部２３０の前面に覆われている。また、タッチ感知電極が形成された横軸パターン層２２２と横軸支持層２２２０が縦軸パターン層２２４と縦軸支持層２２４０に対比して交差ラミネートされて、パターン上層部の導電性あるいは非導電性物質接触により圧力、静電容量、あるいは接触抵抗の変化を感知することができる。
【００３１】
図４は、本発明の第２の実施形態によるデジタイザの磁力センサーの位置を示す斜視図であり、図５は、本発明の第３の実施形態によるデジタイザの磁力センサーの位置を示す斜視図である。
【００３２】
磁力センサー２２６は、一般的にタッチパネル部２２０の上下左右の余白又は液晶パネル部２３０後面部の余白に１つ又は２つ以上設けられるのが一般的である。ただ、場合によっては、図４に示すようにカバーウィンドウ２１０の上下左右の余白に１つ又は２つ以上の磁力センサー２２６を設けることもできる。
【００３３】
図５に示すように、回路基板２４０の前後面又は内部ケース２５０の内面に１つ又は２つ以上の磁力センサー２２６を設けることもできる。
【００３４】
たった１つの磁力センサー２２６が磁力ペン３００から発生する３次元磁力ベクトルを感知して、ディスプレイ機器２００を介して磁力ペン３００と磁力センサー２２６との間の相対空間座標が算出され、２つ以上の磁力センサー２２６の出力値を比較すれば、より正確な相対空間座標を算出することができる。
【００３５】
図６は、デジタイザが磁力ペンから発生される３次元磁力線を探知して磁力ペンの位置を算出する方法を示した概念図である。
【００３６】
図６に示すように、磁力センサー２２６は、ホール効果、サーチコイル誘導効果、フラックスゲート誘導効果、磁気抵抗効果を利用して空間直交座標の３軸方向の０．００１〜１００００ガウスの磁力を測定する。
【００３７】
ディスプレイ機器２００は、前面座標による磁力ペン３００の３軸磁力分布データを回路基板２４０に予め格納し、磁力ペン３００の自由運動で測定された３軸磁力のベクトルと予め格納された３軸磁力分布のデータを比較して磁力ペン３００の相対軌跡をディスプレイ機器２００の前面に視覚的データで出力することができる。
【００３８】
図７は、磁力ペンから発生される３次元磁力線の構造を示す概念図であり、図８は、磁力センサーの内部構造を示す斜視図である。
【００３９】
磁力ペン３００は、磁力センサー２２６の平面と同一な平面上に存在するＸ軸及びＹ軸上で動くが、場合によってはＸＹ平面に対して垂直であるＺ軸に沿って動くこともある。磁力センサー２２６は、磁力ペン３００の動きに応じて発生する磁場の変化を３軸に対して全て測定して記録する。
【００４０】
図８に示された磁力センサー２２６はホール効果センサーであって、外部磁場を吸収する磁場吸収体上板２２６１と磁場吸収体下板２２６２の積層された隙間にホール効果電極２２６３の四つが直交対をなす構造となっている。磁場吸収体上板２２６１と磁場吸収体下板２２６２に、外部磁場がＸ軸方向に通る場合、Ｘ１の位置とＸ２の位置のホール効果誘導電流２２６４が互いに逆に測定される。しかし、Ｙ方向の磁場は変化がないので、Ｙ１の位置とＹ２の位置のホール効果誘導電流２２６４は、互いに同一の方向に測定される。
【００４１】
外部磁場がＹ軸方向に通る場合には、Ｙ１の位置とＹ２の位置のホール効果誘導電流２２６４は互いに逆に測定され、Ｘ１の位置とＸ２の位置のホール効果誘導電流２２６４は互いに同一の方向に測定される。
【００４２】
また、外部磁場がＺ軸方向（ＸＹ平面の垂直方向）に通る場合、Ｘ１の位置、Ｘ２の位置、Ｙ１の位置、Ｙ２の位置のホール効果誘導電流２２６４は、互いに同一の方向に測定される。このようにホール効果誘導電流２２６４の大きさ及び方向を測定することにより、外部磁場の３次元ベクトルを同時に測定することができる。
【００４３】
図９は、磁力ペンから発生されるＸ軸方向の磁力の空間分布を示したグラフであり、図１０は、磁力ペンから発生されるＹ軸方向の磁力の空間分布を示したグラフ、図１１は、磁力ペンから発生されるＺ軸方向の磁力の空間分布を示したグラフである。
【００４４】
磁力ペン３００がディスプレイ機器２００のＸＹ平面上で自由運動をする場合、図９ないし図１１示されたように、磁力ペン３００のＸ、Ｙ、Ｚ軸の磁力分布を同時に測定することができる。これらの３軸磁力分布は、磁力センサー２２６に格納されて磁力ペン３００の空間位置に応じた固有の磁力分布を比較して、ディスプレイ機器２００上の磁力ペン３００の軌跡を感知することができる。１つの磁力センサー２２６で３軸方向の磁場の変化を感知することができるので、少なくとも１つの磁力センサー２２６のみでも磁力ペン３００の軌跡を追跡することができる。しかし、２つ以上の磁力センサー２２６を使用する場合、磁力ペン３００の位置を把握する精度を向上させることができる。
【００４５】
図１２は、デジタイザのサイズに応じて磁力センサーを並列配置した状態を示す平面図である。
【００４６】
図１２に示すように、ディスプレイ機器２００の磁力ペン３００の認識面積は、ディスプレイ機器２００の対角線の長さが０．５〜２００インチであり、その大きさが大きくなるほどディスプレイ機器２００の内部に磁力センサー２２６が並列配置される。
【００４７】
ディスプレイ機器２００の面積が大きくなると、感知性能や正確度を高めるために、より多くの磁力センサー２２６が必要となる。図１２に示すように、ディスプレイ機器２００の縁に、まず磁力センサー２２６を設けることが一般的であるが、大型画面を持つ場合には、タッチスクリーンの内部にも多数の磁力センサー２２６が設けられる。
【００４８】
以上、添付された図面を参照して、本発明の好ましい実施形態を説明したが、前述した本発明の技術的構成は、本発明の属する技術分野において通常の知識を持つ者が本発明の技術的思想や必須的特徴を変更することなく、他の具体的な形態で実施することができる。従って、以上で記述した実施形態は、全ての面で例示的なものであって、限定的なものではないと理解されなければならず、本発明の範囲は、上記の詳細な説明よりは、後述する特許請求の範囲によって示され、特許請求の範囲の意味及び範囲、その等価概念から導き出される全ての変更又は変形された形態が本発明の範囲に含まれるものと解釈されなければならない。
【符号の説明】
【００４９】
２００：ディスプレイ機器
２１０：カバーウィンドウ
２２０：タッチパネル部
２２１：タッチパターン連結電極
２２２：Ｔｘパターン層
２２３：Ｔｘチャンネルマルチプレクサ
２２４：Ｒｘパターン層
２２５：Ｒｘチャンネルマルチプレクサ
２２６：磁力センサー
２３０：液晶パネル部
２４０：回路基板
２５０：内部ケース
３００：磁力ペン
２２００：ディスプレイ接着層
２２２０：Ｔｘパターン支持層
２２４０：Ｒｘパターン支持層
２２６１：磁場吸収体上板
２２６２：磁場吸収体下板
２２６３：ホール効果電極
２２６４：ホール効果誘導電流
２２６５：ホール効果誘導電圧
【図１】
2017506405.tif 000003
【図２】
2017506405.tif 000004
【図３】
2017506405.tif 000005
【図４】
2017506405.tif 000006
【図５】
2017506405.tif 000007
【図６】
2017506405.tif 000008
【図７】
2017506405.tif 000009
【図８】
2017506405.tif 000010
【図９】
2017506405.tif 000011
【図１０】
2017506405.tif 000012
【図１１】
2017506405.tif 000013
【図１２】
2017506405.tif 000014
【国際調査報告】
2017506405.tif 000015
2017506405.tif 000016
2017506405.tif 000017
2017506405.tif 000018